(57)【特許請求の範囲】
【請求項１】
少なくとも胴部（１、１Ａ）及び頭部５がそれぞれ別体であり、かつこれらの各部位が首部（９）を含む一つの首関節部材（８、８Ａ）で一体的に連結されている合成樹脂製人形の関節構造であり、前記一つの首関節部材８は、縦方向に二分割された首部分割片９ａ、９ｂが一体的に結合されると共に、下部と上部に対称的に形成された軸受け部をそれぞれ有する前記首部９と、この首部９全体が左右・前後に傾倒するように該首部９の前記下部軸受け部１３に球状軸部１５が摺接嵌合した状態で連結されていると共に、球状軸部１５に連設する長杆部（１８、１８Ａ）が、前記胴部の首部用凹所（２、２Ａ）内壁面から下方に向かって垂直状態に形成された取付け孔（３、３Ａ）に固定的に差し込まれた状態で該胴部に連結された下方関節軸（１０、１０Ａ）と、一方、前記頭部５全体が左右・前後に傾倒するように該頭部５の首部嵌合用窪み６の内壁面に形成された軸孔７にそのストッパー部２２を押し込んだ状態で該頭部に連結されていると共に、該ストッパー部２２に連設する球状軸部２０が首部９の前記上部軸受け部１４に摺接嵌合した状態で連結されている上方関節軸１１とから成り、さらに、首部９の上端面と頭部５の首部嵌合用窪み６の内壁面並びに首部９の下端面と胴部の首部用凹所の内壁面との間には、頭部５並びに首部９が段階的に左右・前後に傾倒するようにそれぞれ間隙が設けられていることを特徴とする合成樹脂製人形の関節構造。
【請求項２】
請求項１に於いて、下方関節軸１０Ａの長杆部１８Ａが胴部１Ａに貫通状態に差込み連結され、該長杆部１８Ａの下端部は、人形の腹部３０内に入り込んでいると共に、該下端部には、腹部３０の湾曲状嵌合上端部３１が、胴部１Ａの下端部に形成された湾曲面に圧接状態で摺接嵌合するように、該湾曲状嵌合上端部３１に前記長杆部１８Ａよりも大径に形成された中心孔３５の縁にその断面半円球状或は断面球状の外面が当たる押圧片３２と、該押圧片３２を常時付勢するバネ３４がそれぞれ設けられていることを特徴とする合成樹脂製人形の関節構造。
【発明の詳細な説明】
【０００１】
【発明の属する技術分野】
本発明は合成樹脂製人形の関節構造に関し、特に人形の首部の関節構造に関する。
【０００２】
【従来の技術】
従来、人形の首部の関節構造に関しては、特公平４−６１６７５号公報に一例が記載されている。この公報に記載の実施例は、頭部が左右・前後に傾倒するように、上下に球状軸部を有する連結部材を介して首部に連結されている。そして、上方の球状軸部は頭部内に形成された摺鉢状の軸受け面に支持され、一方、下方の球状軸部は胴部上に一体形成された首部内の半球面状内壁面に支持されている。
【０００３】
上記構成に於いては、連結部材が自由に可動するので、頭部を左右・前後に傾倒させることができると言う利点がある。
【０００４】
しかしながら、上記構成の首部の構造は、首部が胴部上に一体形成されているので、首自体を左右・前後に傾倒させることができない、と言う欠点があった。人間の場合、首筋を延ばしたり、或いは首を回したりすることができる。したがって、首部の構造に関しては、もっと改善すべき余地があった。
【０００５】
【発明が解決しようとする課題】
本発明は以上のような従来の欠点に鑑み、第１の目的は、頭部及び首部の動きを一層人間の動き（自然でリアルな動き）に近付けさせることである。第２の目的は、首関節部材を簡単に組合せることである。第３の目的は、頭部と胴部を簡単に連結することである。第４の目的は、一つの首関節部材により、人形の頭部、首部、胴部、腹部を一体的に連結することができると共に、これらの各部位をリアル的に可動させることである。
【０００６】
【課題を解決するための手段】
本発明の合成樹脂製人形の関節構造は、少なくとも胴部（１、１Ａ）及び頭部５がそれぞれ別体であり、かつこれらの各部位が首部（９）を含む一つの首関節部材（８、８Ａ）で一体的に連結されている合成樹脂製人形の関節構造であり、前記一つの首関節部材８は、縦方向に二分割された首部分割片９ａ、９ｂが一体的に結合されると共に、下部と上部に対称的に形成された軸受け部をそれぞれ有する前記首部９と、この首部９全体が左右・前後に傾倒するように該首部９の前記下部軸受け部１３に球状軸部１５が摺接嵌合した状態で連結されていると共に、球状軸部１５に連設する長杆部（１８、１８Ａ）が、前記胴部の首部用凹所（２、２Ａ）内壁面から下方に向かって垂直状態に形成された取付け孔（３、３Ａ）に固定的に差し込まれた状態で該胴部に連結された下方関節軸（１０、１０Ａ）と、一方、前記頭部５全体が左右・前後に傾倒するように該頭部５の首部嵌合用窪み６の内壁面に形成された軸孔７にそのストッパー部２２を押し込んだ状態で該頭部に連結されていると共に、該ストッパー部２２に連設する球状軸部２０が首部９の前記上部軸受け部１４に摺接嵌合した状態で連結されている上方関節軸１１とから成り、さらに、首部９の上端面と頭部５の首部嵌合用窪み６の内壁面並びに首部９の下端面と胴部の首部用凹所の内壁面との間には、頭部５並びに首部９が段階的に左右・前後に傾倒するようにそれぞれ間隙が設けられていることである。
【０００７】
また本発明の合成樹脂製人形の関節構造は、前記主要部をそのまま含み、下方関節軸１０Ａの長杆部１８Ａが胴部１Ａに貫通状態に差込み連結され、該長杆部１８Ａの下端部は、人形の腹部３０内に入り込んでいると共に、該下端部には、腹部３０の湾曲状嵌合上端部３１が、胴部１Ａの下端部に形成された湾曲面に圧接状態で摺接嵌合するように、該湾曲状嵌合上端部３１に前記長杆部１８Ａよりも大径に形成された中心孔３５の縁にその断面半円球状或は断面球状の外面が当たる押圧片３２と、該押圧片３２を常時付勢するバネ３４がそれぞれ設けられていることである。
【０００８】
【発明の実施の形態】
以下、本発明を合成樹脂製人形場合で説明する。まず、本発明の合成樹脂製人形は、図１（第１実施例）及び図７（第２実施例）で示すように、少なくとも胴部（１、１Ａ）及び頭部５がそれぞれ別体であり、かつこれらの各部位が首部（９）を含む一つの首関節部材（８、８Ａ）で一体的に連結されている合成樹脂製人形の関節構造である。また、前記頭部５と胴部（１、１Ａ）との間には、頭部５又は（（胴部（１、１Ａ）を所定方向に付勢する連結手段としてのバネ部材は全く存在しない。そこで、本発明の合成樹脂製人形の詳細を説明する。１は合成樹脂製人形の胴部で、この胴部１の上端部中央には首部用凹所２が形成されている。３は首部用凹所２の内壁面から下方に向かって垂直状態に形成された取付け孔で、この取付け孔３は、後述する首関節部材の下方関節軸に対し、固定的な軸受けの役割を果たす。本実施例では、この取付け孔３はメネジ孔である。
【０００９】
一方、５は合成樹脂製人形の頭部で、この頭部５は中空である。６は頭部の下端部中央に形成された首部嵌合用窪みで、この首部嵌合用窪み６の内壁面には軸孔７が形成されている。
【００１０】
８は胴部１と頭部５を一体的に連結する首関節部材で、この首関節部材８は、首部９と、この首部９の下部に一体的に設けられた下方関節軸１０と、首部９の上部に一体的に設けられた上方関節軸１１とから構成されている。付言すると、首関節部材８は首部９を構成要素としている。
【００１１】
前記首部９は、本実施例では、図２及び図３で示すように縦方向に二分割され、これらの分割された首部分割片９ａ，９ｂは、半径方向の挿入孔に差し込まれる複数本の固着具１２を介して一体的に結合されている。
【００１２】
しかして、一体的に結合された首部９は、上部及び下部に対称的に形成された軸受け部を有する。そこで、これらの軸受け部を簡単に説明すると、１３は下部軸受け部で、この下部軸受け部１３は、球状内壁面１３ａと、この球状内壁面１３ａの下方に連設する摺鉢状内周面１３ｂとから成る。一方、１４は上方軸受け部で、この上方軸受け部１４も下部軸受け部と同様に、球状内壁面１４ａと、この球状内壁面１４ａの上方に連設する摺鉢状内周面１４ｂとから成る。
【００１３】
また前記下方関節軸１０は、前述した下部軸受け部１３の球状内壁面１３ａに摺接嵌合する球状（半球状又は逆向き球台も含む。）軸部１５と、この球状軸部１５に連設し、かつ、首部９が傾倒すると下部軸受け部１３の摺鉢状内周面１３ｂが当たる短杆部１６と、この短杆部１６の下方に周設された鍔部１７と、この鍔部１７から下方に延び、かつ、胴部１の取付け孔３に固定的に差し込まれた長杆部１８とから構成されている。なお、前記長杆部１８には、本実施例ではオネジが形成されている。
【００１４】
また前記上方関節軸１１は、前述した上部軸受け部１４の球状内壁面１４ａに摺接嵌合する球状（半球状又は上向き球台も含む。）軸部２０と、この球状軸部２０に連設し、かつ、頭部５が傾倒すると首部の上部軸受け部１４の摺鉢状内周面１４ｂに当たる棒状軸部２１と、この棒状軸部２１の上方に突設され、かつ、頭部の首部嵌合用窪み６の内壁面に当接するストッパー部２２とから成る。
【００１５】
上記構成に於いて、胴部１と頭部５を一体的に連結する場合には、まず首関節部材８の下方関節軸１０を胴部１の取付け孔３に螺着する。次に首関節部材８の上方関節軸１１のストッパー部２２に頭部５の軸孔７を嵌め合せ、ストッパー部２２を頭部５の首部嵌合用窪み６の内壁面（頭部内）へと強制的に押し込む。
【００１６】
このように胴部１と頭部５とが首関節部材８を介して一体的に結合した合成樹脂製人形は、その頭部を前方に倒した場合には、例えば図４及び図５で示すような動きになる。
【００１７】
まず、頭部５と首部９とを一緒に可動させる場合には、頭部の首部付近或いは首部９を後ろから手で押す。そうすると、頭部５と首部９が下方関節軸１０の球状軸部１５を介して前方側に回転する。この時頭部５と首部９は、首部９の下部軸受け部１３の摺鉢状内周面１３ｂが下方関節軸１０の短杆部１６に当った所で一旦停止するような格好となる（図４の状態）。次いで頭部５を押すと、頭部５は上方関節軸１４を介して前方に傾倒する（図５の状態）。したがって、頭部５は、いわば二段階式に傾倒する。
【００１８】
ところで、本発明の首部の関節構造は、頭部の押す箇所によって色々に動き方をする。例えば後頭部の上方の部位を押した場合、まず上方関節軸１４を介して頭部５が前方に傾倒する。この時頭部５は上方関節軸１４の棒状軸部２１が首部９の上部軸受け部１４の摺鉢状内周面１４ｂに当った所で停止する。次に、さらに頭部５を前方に倒させようとすると、頭部５と共に首部９が下方関節軸１０の球状軸部１５を介して可動する。
【００１９】
また図６で示すように頭部５を左右に回転させることができるのみならず、側頭部を押すと、頭部５は上述したような態様で二段階式に傾倒する。
【００２０】
【実施例】
次に図７に示す本発明の他の実施例につき説明する。なお、他の実施例の説明に当たって、第１実施例と同一の構成部分には、同一又は同様の符号を付し、重複する説明を省略する。
【００２１】
図７は第２実施例の合成樹脂製人形の関節構造である。この人形の関節構造に於いて、前記第１実施例と主に異なる構成は、次の通りである。まず、胴部１Ａの中央部には、首部用凹所２Ａの底壁面から胴部１Ａの下端部に形成された腹部３０用の湾曲状嵌合部３１に至まで、貫通状態の取付け孔３Ａが形成されている点である。
次に、首関節部材８Ａの下方関節軸１０Ａの長杆部１８Ａは、前記取付け孔３Ａを貫通し、かつ、その下端部は腹部３０内に入り込んでいる点である。さらに、腹部３０内には断面半円球状（断面球状でも良い。）の押圧片３２が設けられ、この押圧片３２と前記長杆部１８Ａの下端部に固定的に設けられたバネ受け片３３との間には、腹部３０の嵌合上端部を胴部１Ａの湾曲状嵌合部３１に常時圧接するように付勢するバネ３４が設けられている点である。３５は腹部３０の嵌合上端部に形成され、かつ、長杆部１８Ａよりも大径に形成された中心孔である。付言すると、下方関節軸１０Ａの長杆部１８Ａが胴部１Ａに貫通状態に連結され、該長杆部１８Ａの下端部は、人形の腹部３０内に入り込み、かつ該下端部には、腹部３０の湾曲状嵌合上端部３１が、胴部１Ａの下端部に形成された湾曲面に圧接状態で摺接嵌合するように、該湾曲状嵌合上端部３１に前記長杆部１８Ａよりも大径に形成された中心孔３５の縁にその断面半円球状或は断面球状の外面が当たる押圧片３２と、該押圧片３２を常時付勢するバネ３４がそれぞれ設けられている。
【００２２】
このように構成すると、首関節部材８Ａの下方関節軸１０Ａは、胴部１Ａに対して別体の腹部３０を一体的に連結する役割を果すと共に、腹部３０又は胴部１Ａを左右前後に可動させることができる。
【００２３】
【発明の効果】
以上の説明から明らかなように、本発明にあっては次に列挙するような効果がある。
（１）首部に対して頭部を自由に動かすことができるだけではなく、首部自体も左右・前後に傾倒させることができることある。したがって、頭部や首部の動きを一層人間の動き（自然でリアルな動き）に近付けさせることができる。
（２）胴部と首部とを首関節部材を介して簡単に連結することができる。
（３）一つの首関節部材により、人形の頭部、首部、胴部、腹部を一体的に連結することができると共に、これらの各部位をリアル的に可動させることができる。
（４）請求項２に記載の発明は、首関節部材の組合わせが容易である。
【図面の簡単な説明】
図１乃至図６は本発明の第１実施例を示す各説明図。
【図１】本発明の実施の形態を示す一部概略断面説明図。
【図２】首関節部材の斜視からの説明図。
【図３】首関節部材の分解図。
【図４】頭部及び首部を第１段階的に倒した状態の説明図。
【図５】図４に於いて、頭部をさらに第２段階的に倒した状態の説明図。
【図６】本発明の頭部及び首部の可動態様を示す説明図。
【図７】本発明の第２実施例を示す説明図。
【符号の説明】
１、１Ａ…胴部、２、２Ａ…首部用凹所、３、３Ａ…取付け孔、５…頭部、６…首部嵌合用窪み、８、８Ａ…首関節部材、９…首部、１０、１０Ａ…下方関節軸、１１…上方関節軸、１３…下部軸受け部、１３ａ、１４ａ…球状内壁面、１４…上部軸受け部、１３ｂ、１４ｂ…摺鉢状内周面、１５、２０…球状軸部、１８、１８Ａ…長杆部、２０…ストッパー部、３０…腹部、３１…湾曲状嵌合部、３２…押圧片、３４…バネ、３５…中心孔。
【図１】
0004311781.tif 000002
【図２】
0004311781.tif 000003
【図３】
0004311781.tif 000004
【図４】
0004311781.tif 000005
【図５】
0004311781.tif 000006
【図６】
0004311781.tif 000007
【図７】
0004311781.tif 000008